(57)【要約】【課題】二灯以上の放電灯のいずれかが切れても、他の放電灯に流れる電流が抑えられ、寿命の低下を防止できる放電灯点灯装置を提供する。【解決手段】  並列に接続された二灯以上の放電灯１，２と、各放電灯１，２を高周波で点灯させるための放電灯点灯電源１５と、各放電灯１，２のいずれか一つが切れたときに、放電灯点灯電源１５を停止する保護回路とを備えている。前記保護回路が、各放電灯１，２に接続された管電流設定抵抗５と、放電灯点灯電源１５を制御するコントロールＩＣ３とを備えており、管電流設定抵抗５の両端の電圧がコントロールＩＣ３内部の基準電圧に対して低くなったとき、コントロールＩＣ３が放電灯点灯電源１５を停止させる。【選択図】図１
2006339053.tif 000002
【特許請求の範囲】
【請求項１】
並列に接続された二灯以上の放電灯と、前記各放電灯を高周波で点灯させるための放電灯点灯電源と、前記各放電灯のいずれか一つが切れたときに、前記放電灯点灯電源を停止させる保護回路とを備えたことを特徴とする放電灯点灯装置。
【請求項２】
前記保護回路が、前記各放電灯に接続された管電流設定抵抗と、前記放電灯点灯電源を制御するコントロールＩＣとを備えており、前記管電流設定抵抗の両端の電圧が前記コントロールＩＣ内部の基準電圧に対して低くなったとき、前記コントロールＩＣが前記放電灯点灯電源を停止させることを特徴とする請求項１記載の放電灯点灯装置。
【請求項３】
前記保護回路が、前記各放電灯と過電流検出抵抗とを接続し、前記各放電灯と前記各過電流検出抵抗との間に第一整流ダイオードのアノード側を接続し、各第一整流ダイオードのカソード側と定電圧ダイオードのカソード側とを接続し、前記各過電流検出抵抗同士の接続点と前記管電流設定抵抗とを接続し、該接続点と第二整流ダイオードのアノード側とを接続し、第二整流ダイオードのカソード側に、平滑コンデンサと前記コントロールＩＣとを接続してなることを特徴とする請求項２記載の放電灯点灯装置。
【発明の詳細な説明】
【技術分野】
【０００１】
本発明は、並列に接続された二灯以上の放電灯を高周波で点灯させる放電灯点灯装置に関するものである。
【背景技術】
【０００２】
放電灯を備えた放電灯点灯装置として、例えば特許文献１および特許文献２のようなものがある。そして、二灯の放電灯を並列に接続した放電灯点灯装置は、次のように構成されている。
図２は、従来の放電灯点灯装置の要部を示す回路図であり、これに基づいて従来の放電灯点灯装置を説明する。
【０００３】
従来の放電灯点灯装置は、巻線トランス３８のＨ側から並列に接続され、電流を制限する２つのバラストコンデンサ３３，３４を備えており、各バラストコンデンサ３３，３４に二灯の放電灯３０，３１が直列に接続されている。放電灯電源３９に、巻線トランス３８が接続されている。
電流設定抵抗３６は、一方が各放電灯３０，３１に直列に接続され、他方が巻線トランス３８のＬ側（ＧＮＤ）に接続されている。電流設定抵抗３６と各放電灯３０，３１との間に整流ダイオード３５のアノード側が接続されている。
そして、整流ダイオード３５のカソード側が、電流を制御するコントロールＩＣ３２と、電流制御信号を平滑する平滑コンデンサ３７の一方とに接続されている。平滑コンデンサ３７の他方側はＧＮＤに接続されている。
【０００４】
そして、二灯の放電灯３０，３１が接続されて点灯している間は、各バラストコンデンサ３３，３４によって均等に管電流が流れるが、放電灯の一方、例えば放電灯３０が切れる（オープンになる）と、他方の放電灯３１に約２倍の管電流が流れるので、この放電灯３１の寿命が短くなり、発熱が大きくなるという問題がある。
また、出力端子に高圧が発生したままになるので、安全性にも問題がある。
【特許文献１】特開２０００−３０８８１号公報、図１
【特許文献２】特開昭５８−３８４９４号公報
【発明の開示】
【発明が解決しようとする課題】
【０００５】
本発明が解決しようとする課題は、前記した問題点に鑑み、二灯以上の放電灯のいずれか一つが切れても、他の放電灯の寿命の低下を防止すると共に、安全性を向上させる放電灯点灯装置を提供することにある。
【課題を解決するための手段】
【０００６】
前記の課題を解決するため、本発明に係る放電灯点灯装置は、並列に接続された二灯以上の放電灯と、各放電灯を高周波で点灯させるための放電灯点灯電源と、各放電灯のいずれか一つが切れたときに、放電灯点灯電源を停止させる保護回路とを備えている。
【０００７】
好ましくは、前記保護回路が、各放電灯に接続された管電流設定抵抗と、放電灯点灯電源を制御するコントロールＩＣとを備えており、管電流設定抵抗の両端の電圧がコントロールＩＣ内部の基準電圧に対して低くなったとき、コントロールＩＣが放電灯点灯電源を停止させる。
【０００８】
さらに好ましくは、前記保護回路が、各放電灯と過電流検出抵抗とを接続し、各放電灯と各過電流検出抵抗との間に第一整流ダイオードのアノード側を接続し、各第一整流ダイオードのカソード側と定電圧ダイオードのカソード側とを接続し、各過電流検出抵抗同士の接続点と管電流設定抵抗とを接続し、該接続点と第二整流ダイオードのアノード側とを接続し、第二整流ダイオードのカソード側に、平滑コンデンサと前記コントロールＩＣとを接続してなる。
【発明の効果】
【０００９】
本発明に係る放電灯点灯装置によれば、保護回路によって、二灯以上の放電灯のいずれか一つが切れたとき、放電灯点灯電源の出力を停止するよう構成されている。
従って、他の放電灯に流れる電流が抑えられ、放電灯の寿命低下が防止でき、発熱等を生じることもなく安全である。
【発明を実施するための最良の形態】
【００１０】
以下、添付図面に基づいて、本発明に係る放電灯点灯装置について詳細に説明する。
【００１１】
図１は、本発明に係る放電灯点灯装置を示す回路図である。
図１の如く、放電灯点灯装置は、二灯の放電灯１，２を高周波で点灯させる放電灯点灯電源１５を備え、この放電灯点灯電源１５に、巻線トランス１２が接続されている。
【００１２】
巻線トランス１２のＨ側に、二つのバラストコンデンサ１３，１４を並列に接続し、各バラストコンデンサ１３，１４に、放電灯１，２をそれぞれ直列に接続する。
そして、放電灯１，２に、過電流検出抵抗６，７をそれぞれ直列に接続する。
さらに、二つの過電流検出抵抗６，７を接続し、該接続点１６に管電流設定抵抗５を接続する。この管電流設定抵抗５は、正常時における各放電灯１，２へ流れる電流を調整するものである。
【００１３】
管電流設定抵抗５は、一方側が出力トランス１２のＬ側（ＧＮＤ）に接続されている。管電流設定抵抗５と過電流検出抵抗６，７との接続点１６に、第二整流ダイオード１０のアノード側を接続し、該第二整流ダイオード１０のカソード側に、電流制御信号を平滑する平滑コンデンサ１１の一方側と、コントロールＩＣ３とを並列に接続する。
【００１４】
コントロールＩＣ３は、放電灯点灯電源１５に接続されており、放電灯点灯電源１５を制御するものである。平滑コンデンサ１１の他方側は、ＧＮＤ（接地）に接続されている。さらに、放電灯１，２と過電流検出抵抗６，７との間に、各々第一整流ダイオード８，９のアノード側が接続されている。
【００１５】
各第一整流ダイオード８，９のカソード側と、定電圧ダイオード４のカソード側とを接続し、定電圧ダイオード４のアノード側をＧＮＤに接続する。
【００１６】
本発明に係る放電灯点灯装置は、上記のように構成されており、正常時においては、二灯の放電灯１，２が点灯中、バラストコンデンサ１３，１４によって均等に管電流が流れる。
そして、何らかの要因で、二灯の放電灯１，２のいずれか一方、例えば放電灯２が切れた場合は、放電灯１に正常時に対して約２倍の管電流が流れる。
【００１７】
それに伴って、過電流検出抵抗７の両端には、正常時の約２倍の電圧が印加されることになる。
しかし、定電圧ダイオード４によって、強制的に、管電流設定抵抗５および過電流検出抵抗７に印加される電圧が、所定電圧にまで下げられ、所定電圧以上にならないようにクランプする。
【００１８】
これにより、コントロールＩＣ３に設けられたタイマ・ラッチ機能が作動して、ラッチ動作をし、放電灯点灯電源１５の駆動を停止するよう構成されている。このタイマ・ラッチ機能は、コントロールＩＣ３に設定された基準電圧（例えば１［Ｖ］）と、管電流設定抵抗５の両端の電圧（過電流検出抵抗７と管電流設定抵抗５の電圧の和を、過電流検出抵抗７と管電流設定抵抗５の抵抗比で分圧した電圧）とを比較して、両端の電圧が、所定期間、基準電圧（１［Ｖ］）より低くなるとコントロールＩＣ３の出力を停止する。
【００１９】
従って、前記の管電流設定抵抗５の両端の電圧を、定電圧ダイオード４によって、コントロールＩＣ３内部の基準電圧より強制的に下げることにより、コントロールＩＣ３の出力を停止する。
このように構成された保護回路によって、放電灯点灯電源１５から放電灯１へ流れる電流が停止され、放電灯１の寿命の低下や、発熱等を生じる危険性を防止することができる。
【００２０】
従来の放電灯点灯装置は、二灯の放電灯１，２のいずれか一方が切れた場合でも、コントロールＩＣにより停止することなく、切れていない放電灯に約２倍の電流が流れるので、放電灯の寿命の低下や、安全性に問題があった。
しかし、本発明に係る放電灯点灯装置は、二灯の放電灯のうち、一灯の放電灯が点灯中に切れた場合や、初めから切れている場合には、保護回路のコントロールＩＣが放電灯点灯電源を停止させて、他方の放電灯に流れる電流が抑えられるので、これらの問題はない。
【００２１】
なお、上記実施例では、二灯の放電灯の場合について説明したが、三灯以上の放電灯を備えた放電灯点灯装置にも、本発明を適用することができる。
【図面の簡単な説明】
【００２２】
【図１】本発明に係る放電灯点灯装置を示す回路図である。
【図２】従来の放電灯点灯装置の要部を示す回路図である。
【符号の説明】
【００２３】
１，２  放電灯
３  コントロールＩＣ
４  定電圧ダイオード
５  管電流設定抵抗
６，７  過電流検出抵抗
８，９  第一整流ダイオード
１０  第二整流ダイオード
１１，１３，１４  平滑コンデンサ
１２  巻線トランス
１５  放電灯点灯電源
１６  各過電流検出抵抗の接続点
３０，３１  放電灯
３２  コントロールＩＣ
３３，３４，３７  平滑コンデンサ
３５  整流ダイオード
３６  管電流設定抵抗
３８  巻線トランス
３９  放電灯点灯電源
【図１】
2006339053.tif 000003
【図２】
2006339053.tif 000004